(57)【要約】  本発明は、界面活性剤として、第二アルカンスルホナート, 石鹸、非イオン系界面活性剤及びまたカチオン系界面活性剤を含む液体洗剤及びクリーニング剤液体洗剤及びクリーニング剤に関する。 洗剤及びクリーニング剤は、布処理及びコンディショニング効果を有する。【特許請求の範囲】
【請求項１】
下記：
ａ）  第二アルカンスルホナート,
ｂ）  石鹸,
ｃ）  非イオン系界面活性剤      
及び
ｄ）  カチオン系界面活性剤.
を含む液体洗剤及びクリーニング剤。
【請求項２】
第二アルカンスルホナートを3〜30重量％, 好ましくは5〜20重量％, 一層好ましくは7〜17重量％、最も好ましくは7〜15重量％含む、請求項１記載の洗剤及びクリーニング剤。
【請求項３】
石鹸を1〜30重量％, 好ましくは3〜25重量％、一層好ましくは5〜20重量％含む、請求項１記載の洗剤及びクリーニング剤。
【請求項４】
非イオン系界面活性剤を5〜35重量％, 好ましくは10〜30重量％, 特に好ましくは15〜25重量％、最も好ましくは17〜23重量％含む、請求項１記載の洗剤及びクリーニング剤。
【請求項５】
非イオン系界面活性剤として、HLB値10〜15, 好ましくは11〜14を有する合成又は天然アルコールのエトキシラートを含む、請求項１記載の洗剤及びクリーニング剤。
【請求項６】
アニオン系界面活性剤:非イオン系界面活性剤の質量比が、1:4〜4:1, 好ましくは1:2〜2:1,最も好ましくは0.8:1〜1.5:1である、請求項１記載の洗剤及びクリーニング剤。
【請求項７】
一種以上のカチオン系界面活性剤を0.1〜10重量％, 好ましくは0.5〜8重量％, 一層好ましくは1〜6重量％、最も好ましくは2〜5重量％含む、請求項１記載の洗剤及びクリーニング剤。
【請求項８】
総界面活性剤含量が、10〜70重量％, 好ましくは10〜55重量％、一層好ましくは20〜45重量％である、請求項１記載の洗剤及びクリーニング剤。
【請求項９】
プロパンジオール, グリセロール, エタノール, n-プロパノール又はイソプロパノールを1〜10重量％程度, 1〜5重量％程度含む、請求項１記載の洗剤及びクリーニング剤。
【請求項１０】
pH 5〜12に調整されている、請求項１記載の洗剤及びクリーニング剤。
【請求項１１】
透明である、請求項１記載の洗剤及びクリーニング剤。
【請求項１２】
不透明程に半透明である〜わずかに曇っている、請求項１記載の洗剤及びクリーニング剤。
【請求項１３】
織物に防しわ効果をもたらす、請求項１記載の洗剤及びクリーニング剤。
【請求項１４】
機械的磨耗からの織物の保護をもたらす、請求項１記載の洗剤及びクリーニング剤。
【発明の詳細な説明】
【技術分野】
【０００１】
本発明は、第二アルカンスルホナート及び一種以上のカチオン系界面活性剤を含む、織物用液体洗剤及びクリーニング剤に関する。
【背景技術】
【０００２】
今日、液体洗剤は、粉末洗剤に加えて、織物用液体洗剤の中で、極めて重要な生成物群を構成する。
【０００３】
液体洗剤は、界面活性剤を主構成成分として含む。最近の洗剤では、幾種かの界面活性剤が同時に使用されるのが普通である。これに関連して、アニオン系界面活性剤及び非イオン系界面活性剤の組合せが有用であることが分かった。
【０００４】
使用されるアニオン系界面活性剤は、線状アルキルベンゼンスルホナート (LAS)、 脂肪アルコールスルフェート (FAS) 、第二アルカンスルホナート(SAS) 及びいくつかの場合には、また、脂肪アルコールエーテルスルフェート (FAES)であるのが典型的である。使用される非イオン系界面活性剤は、長鎖合成アルコール、例えばオキソアルコール、又は天然の脂肪アルコールのエトキシラートである。
【０００５】
更なる必須構成成分として、ビルダー、例えばポリカルボキシラート及び可溶化剤、例えばエタノール、グリセロール又はプロパンジオールが使用される。
【０００６】
「洗剤助剤」なる用語で集約することができかつこれより異なる活性な物質群、例えば泡調整剤、灰色化防止剤、汚れが落ちやすいポリマー、酵素、蛍光増白剤、染料移動防止剤及び染料固定剤を含む添加剤構成成分が、更に小さい使用濃度で存在するのが普通である。
【０００７】
ランドリーケア用に、洗濯後に、いわゆる柔軟剤又は仕上げ剤が使用される。これらは、洗濯物に心地良いフワフワ感を付与し、しわ低減作用を有しかつまた、繊維-繊維摩擦を減少させるので、洗濯物への摩耗を減らす。これらの生成物は、カチオン系界面活性剤、本質的に第四アンモニウム塩, 例えばいわゆるエステル第四アンモニウム化合物（quat）を含む。 
【０００８】
遺憾ながら、今日まで、洗濯物コンディショニング作用を実際に洗剤に付与しかつこれより柔軟剤の使用を不必要にするために、アニオン系界面活性剤を含む液体洗剤をカチオン系界面活性剤と組み合わせることは、不可能であった。これの理由は、アニオン系界面活性剤とカチオン系界面活性剤とが相容性に欠け、構成成分が凝集し、沈殿し又は相分離するに至ることに在る。
【０００９】
他方、洗剤配合物が極めて良好な洗剤能力を有すべき場合には、アニオン系界面活性剤無しで済ますことは、不可能である。
【発明の開示】
【発明が解決しようとする課題】
【００１０】
しかし、 柔軟剤の更なる使用を不必要にする一層簡単なランドリーケアについての要求が、消費者の一部に依然存在する。
【００１１】
本発明の目的は、少なくとも一種のカチオン系界面活性剤をアニオン系界面活性剤と組み合わせて含み、及び構成成分の不相容性の可能性があるにも関わらずに、物理的かつ化学的の両方で安定であり、かつ良好なクリーニング作用、柔軟作用及びコンディショニング作用を有する、織物用液体洗剤及びクリーニング剤配合物を提供するにある。
【課題を解決するための手段】
【００１２】
驚くべきことに、この目的は、存在するアニオン系界面活性剤系が、第二アルカンスルホナートに石鹸及び非イオン系界面活性剤を組み合わせたものである界面活性剤系によって達成することができることを見出した。
【００１３】
本発明は、下記：
ａ）  第二アルカンスルホナート、
ｂ）  石鹸、
ｃ）  非イオン系界面活性剤
及び
ｄ）  カチオン系界面活性剤.
を含む液体洗剤及びクリーニング剤を提供する。
【００１４】
個々の構成成分について下記に説明する：
【００１５】
a)    第二アルカンスルホナート
第二アルカンスルホナートにおいて、アルキル基は、飽和されていても又は不飽和のいずれでもよく、枝分かれしていても又は線状でもよく及び場合により、ヒドロキシル基によって置換されされていてもよい。
【００１６】
スルホ基は、炭素鎖の任意の位置にあってよいが、鎖の開始及び末端における第一メチル基は、スルホナート基をなんら持たない。
【００１７】
好適な第二アルカンスルホナートは、炭素原子およそ9〜25個、 好ましくは炭素原子およそ10〜20個、一層好ましくは炭素原子およそ13〜17個を有する線状アルキル鎖を含有する。カチオンは、例えば、ナトリウム、 カリウム、アンモニウム、モノ-、ジ-もしくはトリエタノールアンモニウム、カルシウム又はマグネシウムである。また、異なるカチオンの混合物を使用することも可能である。
【００１８】
極めて特に好ましいのは、第二C13-17-アルカンスルホナート、 ナトリウム塩であり、これは、例えば,商品名Hostapur（登録商標）SAS (Clariant) 、Leuna アルカンスルホナートもしくは乳化剤E30 (Leuna-Tenside GmbH) 又はMarlon（登録商標）PS (Sasol)で得ることができる。
【００１９】
第二アルカンスルホナートは、本発明の液体洗剤において、濃度3〜30重量％、 好ましくは5〜20重量％、一層好ましくは7〜17重量％ 、最も好ましくは7〜15重量％で使用する。
【００２０】
b)    石鹸
石鹸は、炭素原子10 〜20を有する長鎖の天然脂肪酸の塩を含む。液体洗剤において石鹸用に使用する脂肪酸は、特にヤシ脂肪酸であり、これは、主にC12脂肪酸とC14 脂肪酸との混合物で構成される。しかし、また、鎖の一層長い脂肪酸、例えばオレイン酸、大豆脂肪酸、タロウ脂肪酸、ステアリン酸、ベヘン酸又はこれらの混合物を使用することも可能である。 また、脂肪酸をそれらのナトリウム、カリウム、アンモニウム、モノ-、ジ- もしくはトリエタノールアンモニウム塩の形態で石鹸として使用することも可能である。
【００２１】
液体洗剤用に、特に好ましいのは、ヤシ脂肪酸、大豆脂肪酸、オレイン酸のカリウム, アンモニウム, モノ-、ジ- もしくはトリエタノールアンモニウム塩及びそれらと互いとの又は場合により、他の脂肪酸との混合物である。
【００２２】
本発明の液体洗剤において、石鹸は、1〜30重量％程度、好ましくは3〜25重量％程度、一層好ましくは5〜20重量％程度使用するのが普通である。
【００２３】
c)    非イオン系 界面活性剤
有用な非イオン系界面活性剤は、特に、C8-〜C22-アルキルラジカルを有する長鎖の、脂肪族、合成又は天然のアルコールのエトキシラートを含む。これらは 、エチレンオキシドをおよそ1〜およそ25 モル含有してよい。
【００２４】
脂肪族アルコールのアルキル鎖は、線状でも又は枝分かれしていても、 第一でも又は第二でも、 飽和されていてもさもなくば不飽和でもよい。
【００２５】
好ましいのは、C10-〜C18-アルコールと、アルコール1 モル当たりおよそ2〜およそ18 モルのエチレンオキシドとの縮合生成物である。アルコールエトキシラートは、エチレンオキシドを狭い同族体分布で有しても (「狭い範囲のエトキシラート」) 又は広い同族体分布で有してもよい (「広い範囲のエトキシラート」)。 特に好ましいのは、EO 6〜10 モルを有するC9-C11 オキソアルコール及びEO 5〜9 モルを有するC12/C14 脂肪アルコールである。極めて特に好ましいのは、C11オキソアルコール-8 EOエトキシラート及びC12/14 脂肪アルコール-7 EOエトキシラートである。好ましいのは、HLB値10〜15、一層好ましくは11〜14を有するそれらの非イオン系界面活性剤であるのが普通である。。
【００２６】
使用濃度は、10〜30重量％であるのが普通であり、15〜25重量％であるのが好ましく、17〜23重量％であるのが一層好ましい。
【００２７】
アニオン系界面活性剤：非イオン系界面活性剤の質量比は、1:4〜4:1であるのが普通であり、1:2〜2:1であるのが好ましく、0.8:1〜1.5:1であるのが最も好ましい。
【００２８】
d)    カチオン系 界面活性剤
下記に挙げるカチオン系界面活性剤は、クロリド又はブロミドとして存在するのが好ましいが、また、メトスルフェートとして使用してもよい。
【００２９】
適したカチオン系界面活性剤は、例えば、ジ(C8-C24)アルキルジメチルアンモニウムクロリドもしくはブロミド、好ましくはジ(C12-C18)アルキルジメチルアンモニウムクロリドもしくはブロミドのような第四アンモニウム塩、例えば、ジステアリルジメチルアンモニウムクロリドもしくはブロミド、ジタロウアルキルジメチル-アンモニウムクロリドもしくはブロミド、ジオレイルジメチルアンモニウムクロリドもしくはブロミド、ジココアルキルジメチルアンモニウムクロリドもしくはブロミド; (C8-C24)アルキルジメチルエチル-アンモニウムクロリドもしくはブロミド; (C8-C24)アルキルトリメチル-アンモニウムクロリドもしくはブロミド、好ましくはセチルトリメチルアンモニウムクロリドもしくはブロミド, 及び (C20-C22)アルキルトリメチルアンモニウムクロリドもしくはブロミド; (C8-C24)アルキルジメチルベンジルアンモニウムクロリドもしくはブロミド, 好ましくは (C12-C18)アルキルジメチルベンジルアンモニウムクロリド; N-(C10-C18)アルキルピリジニウムクロリドもしくはブロミド、好ましくはN-(C12-C16)アルキルピリジニウムクロリドもしくはブロミド; N-(C10-C18)アルキル-イソキノリニウムクロリド、ブロミドもしくはモノアルキルスルフェート; N-(C12-C18)アルキル-ポリオイルアミノホルミルメチルピリジニウムクロリド; N-(C12-C18)アルキル-N-メチル-モルホリンクロリド、ブロミドもしくはモノアルキルスルフェート; N-(C12-C18)アルキル-N-エチルモルホリンクロリド、ブロミドもしくはモノアルキルスルフェート; (C16-C18)アルキルペンタオキセチルアンモニウムクロリド; ジイソブチルフェノキシエトキシ-エチルジメチルベンジルアンモニウムクロリド; N,N-ジエチルアミノ-エチルステアリルアミド及び -オレイルアミドと、塩酸、酢酸、乳酸、クエン酸、リン酸との塩; N-アシルアミノエチル-N,N-ジエチル-N-メチルアンモニウムクロリド、ブロミドもしくはモノアルキルスルフェート及びN-アシルアミノエチル-N,N-ジエチル-N-ベンジルアンモニウムクロリド、ブロミドもしくはモノアルキルスルフェート（ここで、アシルは、ステアリル又はオレイルであるのが好ましい）である。
【００３０】
特に好適なクラスのカチオン系界面活性剤は、いわゆるエステル第四アンモニウム化合物、例えばトリエタノールアミンジエステル第四アンモニウム化合物及びジエタノールメチルアミンジエステル第四アンモニウム化合物のものである。これらは、トリエタノールアミン又はジエタノールメチルアミンから出発し、アミンを脂肪酸１〜２モル (トリエタノールアミンの場合には、３モルまで)、 好ましくは２モルでエステル化し、及び次いでメチルクロリド、メチルブロミド又はジメチルスルフェートで四級化することによって製造する。エステル化するために使用する脂肪酸は、 C8-C24 脂肪酸であり、これは、飽和されていても又は不飽和でもよく、 例えばステアリン酸、タロウ脂肪酸 (また部分水素化された)、ヤシ脂肪酸及びオレイン酸である。
【００３１】
洗剤用の更に好適なカチオン系界面活性剤は、下記式のアルキルヒドロキシエチルアンモニウム塩である：
【００３２】
【化１】
2008519117.tif 000002
式中、R1は、炭素原子5〜22 、好ましくは炭素原子8〜18、一層好ましくは炭素原子12〜14を有する線状もしくは枝分かれした、飽和されたもしくは不飽和のアルキル基であり、R2は、メチル基であり、R3 は、メチル基又は式-A-(OA)n-OH（式中、Aは、-C2H4-及び/又は-C3H6-基 にすることができ及びnは、0〜20にすることができる）の基であり、R4は、式-A-(OA)n-OH の基であり及びXは、アニオンであり; Xは、例えば, クロリド, ブロミド, ヨージド, フルオリド, スルフェート, ヒドロゲンスルフェート, カーボネート, ヒドロゲンカーボネート, アセテート, シトレート, ホスファート, モノ-及びジヒドロゲンホスファート, ピロホスファート, ポリホスファート, メタホスファート, ニトラート, メチルスルフェート, ホスホナート, メチルホスホナート, メタンジスルホナート, メチルスルホナート, エタンスルホナート或は式R6SO3, R7SO4又はR6COO（式中、R6 及び R7 は、各々C2-C20-アルキル, 好ましくはC10-C18-アルキルであり、及び R7 は、更にまたC1-C18-アルキルフェニルである）のアニオンである。
【００３３】
式 (1)の化合物として、特に好ましいのは、第四C12-C14-アルキルジメチルヒドロキシエチルアンモニウムクロリドもしくはメトスルフェートである。
【００３４】
本発明の液体洗剤におけるカチオン系界面活性剤の重量による割合は、0.1〜10重量％であるのが典型的であり、0.5〜8重量％であるのが好ましく、1〜6重量％であるのが一層好ましく、2〜5重量％であるのが最も好ましい。
【００３５】
本発明の液体洗剤は、流動性であるのが好ましくかつ粘度約500 mPasまでを有する。けれども、それらは、また、粘度が一層高い、更に易流動性のゲルでもまたは塗布性（ｓｐｒｅａｄａｂｌｅ）ペーストでもよい。
【００３６】
特に好適な実施態様では、本発明の洗剤及びクリーニング剤は、更に、プロパンジオール, グリセロール, エタノール, n-プロパノール又はイソプロパノールを溶媒として濃度1〜10重量％, 好ましくは1〜5重量％で含む。
【００３７】
更に特に好適な実施態様では、配合物のpHを、酸性又はアルカリ性物質を加えることによって調整して5〜12の間の値にする。酸性物質は、例えば、無機酸又は有機酸、例えば、硫酸、ホスホン酸、クエン酸にすることができる。アルカリ性物質は、例えば、水酸化ナトリウム溶液、水酸化カリウム溶液及びエタノールアミンである。
【００３８】
酸性〜中性液体洗剤は、例えばウール洗剤であり、中性〜弱アルカリ性液体洗剤は、例えば穏やかな作用の洗剤であり、及びアルカリ性洗剤は、いわゆる重質洗剤である。
【００３９】
本発明の界面活性剤組合せを含む液体洗剤及びクリーニング剤は、加えて、そのような剤において通例であるような更なる構成成分を含んでよい。これらを下記に説明する。
【００４０】
本発明の洗剤配合物の総界面活性剤含量は、10〜70重量％、好ましくは10〜55重量％、最も好ましくは20〜50重量％にすることができる。
更なるアニオン系界面活性剤
有用なアニオン系界面活性剤は、スルフェート、スルホナート、カルボキシラート、ホスファート及びこれらの混合物を含む。適したカチオンは、 本明細書中、アルカリ金属、例えばナトリウム又はカリウム、或はアルカリ土類金属、例えばカルシウム又はマグネシウム、及びまたアンモニウム、モノ-、ジ-もしくはトリエタノールアンモニウムカチオンを含む置換されたアンモニウム化合物及びこれらの混合物である。
【００４１】
下記のタイプのアニオン系界面活性剤は、特に好適である: 下記に記載する通りの、アルキルエステルスルホナート, アルキルスルフェート, アルキルエーテルスルフェート, アルキルベンゼンスルホナート。
【００４２】
アルキルエステルスルホナートは、ガス状SO3によってスルホン化されたC8-C20-カルボン酸 (例えば、脂肪酸) の線状エステルを含む。
【００４３】
適した出発原料は、天然の脂肪, 例えばタロウ, ヤシ油及びパーム油であるが、また合成種のものでもよい。
【００４４】
好適なアルキルエステルスルホナート、特に洗剤用途用のものは、下記式の化合物である：
【００４５】
【化２】
2008519117.tif 000003
式中、R1は、C8-C20-ヒドロカルビルラジカル, 好ましくはアルキルであり、及びRは、C1-C6-ヒドロカルビルラジカル, 好ましくはアルキルである。 Mは、アルキルエステルスルホナートと水溶性塩を形成するカチオンである。適したカチオは、ナトリウム, カリウム, リチウム又はアンモニウムカチオン、例えば、モノエタノールアミン、ジエタノールアミン及びトリエタノールアミンである。R1は、C10-C16-アルキルであり及び Rは、メチル, エチル又はイソプロピルであるのが好ましい。最も好適なものは、R1が C10-C16-アルキルであるメチルエステルスルホナートである。
【００４６】
アルキルスルフェートは、本明細書中、式ROSO3M（式中、Rは、C10-C24-ヒドロカルビルラジカルであり、アルキル又はC10-C20-アルキル成分を有するヒドロキシアルキルラジカルであるのが好ましく、C12-C18-アルキル又はヒドロキシアルキルラジカルであるのが一層好ましい。
【００４７】
Mは、水素又はカチオン、例えば、アルカリ金属カチオン(例えば、ナトリウム, カリウム, リチウム) 、又はアンモニウム又は置換されたアンモニウム, 例えば、メチル-, ジメチル-及びトリメチルアンモニウムカチオン, 又は第四アンモニウムカチオン、例えば、テトラメチルアンモニウム及びジメチル-ピペリジニウムカチオン, 及びアルキルアミン、例えば、エチルアミン, ジエチルアミン, トリエチルアミンに由来する第四アンモニウムカチオン並びにこれらの混合物である。）の水溶性塩又は酸である。
【００４８】
C12-C16を有するアルキル鎖が、低い洗濯温度 (例えば約50°Cより低い)用に好適であり及びC16-C18を有するアルキル鎖が、より高い洗濯温度 (例えば約 50°Cを超える) 用に好適である。
【００４９】
アルキルスルフェートは、濃度2〜25重量％で使用し、濃度5〜22重量％で使用するのが好ましく、濃度5〜20重量％で使用するのが一層好ましい。
【００５０】
アルキルエーテルスルフェートは、式RO(A)m SO3M（式中、Rは、非置換のC10-C24-アルキル又はヒドロキシアルキルラジカル, 好ましくはC12-C20-アルキル又はヒドロキシアルキルラジカル, 一層好ましくはC12-C18-アルキル又はヒドロキシアルキルラジカルである。
【００５１】
Aは、エトキシ又はプロポキシ単位であり、mは、0より大きい、好ましくはおよそ0.5 〜およそ6、一層好ましくはおよそ 0.5〜およそ3の数であり、及び Mは、水素原子或はカチオン, 例えば、ナトリウム, カリウム, リチウム, カルシウム, マグネシウム, アンモニウム又は置換されたアンモニウムカチオンである。置換されたアンモニウムカチオンの具体例は、メチル-, ジメチル-, トリメチル-アンモニウム及び第四アンモニウムカチオン、例えば、テトラメチルアンモニウム及びジメチルピペリジニウムカチオン, 及びまたアルキルアミン、例えば、エチルアミン, ジエチルアミン, トリエチルアミンに由来するもの又はこれらの混合物を含む。例は、C12-C18 脂肪アルコールエーテルスルフェート（ここで、EOの含量は、脂肪アルコールエーテルスルフェート1モル当り1, 2, 2.5, 3又は4 モルでありかつMがナトリウム又はカリウムである）を含む）の水溶性塩又は酸である。
【００５２】
アルキルエーテルスルフェートの泡の発生が多いことにより、アルキルエーテルスルフェートの使用濃度は、それらの最終用途に依存する。手動洗濯用洗剤に比べて、機械洗濯用洗剤において使用する濃度の方が低い。実施において遭遇する濃度は、1〜20重量％の間である。本発明について、好ましいのは、濃度1〜10重量％、好ましくは1〜5重量％である。
【００５３】
第二アルカンスルホナートに加えて、本発明の洗剤において、第一アルカンスルホナートを使用することも可能である。好適なアルキル鎖及びカチオンは、第二アルカンスルホナートのそれらに一致する。
【００５４】
更に適したアニオン系界面活性剤は、アルケニル-もしくはアルキルベンゼンスルホナートである。アルケニル又はアルキル基は、枝分かれしていても又は線状でもよくかつ場合により、ヒドロキシル基により置換されていてもよい。好適なアルキルベンゼンスルホナートは、炭素原子およそ9〜25, 好ましくは炭素原子およそ 10〜およそ13を有する線状アルキル鎖を含み;カチオンは、ナトリウム, カリウム, アンモニウム, モノ-, ジ-もしくはトリエタノールアンモニウム, カルシウム又はマグネシウム及びそれらの混合物である。
【００５５】
穏やかな界面活性剤系用には, マグネシウムが好適なカチオンであり, 一方、ナトリウムが標準の洗濯用途用に好適である。同じことは、アルケニルベンゼンスルホナートに当てはまる。アルキルベンゼンスルホナートは、濃度3〜30重量％, 好ましくは4〜25重量％、一層好ましくは5〜20重量％で使用する。
【００５６】
「アニオン系界面活性剤」なる用語は、また、C8-C24-a-オレフィン, 好ましくはC14-C16-a-オレフィンを、三酸化イオウでスルホン化し、次いで中和することによって得られるオレフィンスルホナートも含む。製造プロセスの結果として, これらのオレフィンスルホナートは、ヒドロキシアルカンスルホナート及びアルカンジスルホナートを比較的に少ない量で含んでよい。a-オレフィン-スルホナートの具体的な混合物は、US-A 3,332,880に記載されている。 a-オレフィンスルホナートについての使用濃度は、アルキルベンゼンスルホナートの使用濃度に一致する。
【００５７】
更に有用なアニオン系界面活性剤は、下記を含む：アシルアミノカルボン酸の塩;脂肪酸クロリドとナトリウムサルコシナートとをアルカリ性媒体中で反応させることによって形成されるアシルサルコシナート;脂肪酸クロリドとオリゴペプチドとを反応させることによって得られる脂肪酸/タンパク質縮合生成物;アルキルスルファミドカルボン酸の塩;アルキル エーテルカルボン酸及びアルキルアリールエーテルカルボン酸の塩;アルキルグリセリルスルフェート及びアルケニルグリセリルスルフェート、例えばオレイルグリセリルスルフェート;アルキルフェノールエーテルスルフェート;アルキルホスファート;アルキルエーテルホスファート;イセチオナート、例えばアシルイセチオナート;N-アシルタウリド;アルキルスクシナート;スルホスクシナート;スルホスクシナートのモノエステル(特に、飽和された及び不飽和のC12-C18モノエステル)及びスルホスクシナートのジエステ(特に、飽和された及び不飽和のC12-C18ジエステル); アシルサルコシナート;アルキル多糖のスルフェート、例えばアルキルポリグリコシドのスルフェート、枝分かれした第一アルキルスルフェート及びアルキルエーテルカルボン酸及びアルキルアリールエーテルカルボン酸、例えば式 R-(O-CH2-CH2)n-O-CH2-COOX（式中、Rは、C8〜C22-アルキル, 好ましくは C12/14-アルキル,又は 例えば, ノニルフェノールであり, nは、0〜10であり及び Xは、水素又はカチオン, 好ましくは Na, K及びトリエタノールアンモニウムである）のもの。
【００５８】
初めに挙げた非イオン系界面活性剤に加えて、使用することができる非イオン系界面活性剤。
【００５９】
プロピレンオキシドをプロピレングリコールと縮合させることによって形成される、エチレンオキシドと疎水性塩基との縮合生成物。
【００６０】
これらの化合物の疎水性部分は、分子量およそ1500〜およそ 1800を有するのが好ましい。エチレンオキシドをこの疎水性部分に加えると、水溶性を改善するに至る。生成物は、縮合生成物の総重量のおよそ50%のポリオキシエチレン含量まで液状であり、これは、エチレンオキシドおよそ40 モルまでとの縮合に相当する。 この生成物クラスの市販されている 例は、BASF のPluronic（登録商標）商標及びClariant GmbHのGenapol（登録商標） PF 商標である。
【００６１】
エチレンオキシドと、プロピレンオキシドとエチレンジアミンとの反応生成物との縮合生成物。
【００６２】
これらの化合物の疎水性単位は、エチレンジアミンと過剰のプロピレンオキシドとの反応生成物からなり、分子量2500〜3000を有するのが普通である。エチレンオキシドをこの疎水性単位に、生成物が含量およそ40〜およそ80重量％及び分子量およそ5000〜11 000を有するまで、加える。この化合物クラスの市販されている例は、BASF からのTetronic（登録商標）商標及びClariant GmbH のGenapol（登録商標）PN 商標である。
アルキルフェノールのポリエチレンオキシド, ポリプロピレンオキシド及びポリブチレンオキシド縮合物。
【００６３】
これらの化合物は、線状でも又は枝分かれしていてもよい、C6-C20-アルキル基を有するアルキルフェノールとアルケンオキシドとの縮合生成物を含む。好ましいのは、アルキルフェノール１モル当りアルケンオキシドおよそ5〜25 モルを有する化合物である。このタイプの市販されている界面活性剤は、例えば、Clariant GmbHのIgepal（登録商標）CO-630, Triton（登録商標）X-45, X-114, X-100 及び X102, 及びArkopal-N（登録商標）商標である。これらの界面活性剤は、アルキルフェノールアルコキシラート、例えばアルキルフェノールエトキシラートと称される。
半極性非イオン系界面活性剤
この範疇の非イオン系化合物は、水溶性アミンオキシド, 水溶性ホスフィンオキシド及び水溶性スルホキシドであって, 各々が炭素原子およそ8〜およそ18のアルキルラジカルを有するものを含む。半極性非イオン系界面活性剤は、また、下記式のアミンオキシドでもある：
【００６４】
【化３】
2008519117.tif 000004
式中、Rは、炭素原子およそ8〜およそ22の鎖長を有するアルキル, ヒドロキシアルキル又はアルキルフェノール基である。R2は、炭素原子およそ2〜3を有するアルキレンもしくはヒドロキシアルキレン基又はこれらの混合物であり、各々のラジカル R1は、炭素原子およそ1〜およそ3を有するアルキルもしくはヒドロキシアルキル基又はエチレンオキシド単位約1〜約3を有するポリエチレンオキシド基であり、及びxは、 数0 〜約10である。R1基は、酸素又は窒素原子を経て一緒に結合し、こうして環を形成してよい。
【００６５】
特に好適なアミンオキシドは、C8-C18-アルキルジメチルアミンオキシド及び C8-C12-アルコキシエチルジヒドロキシ-エチルアミンオキシド及びC8-C18 脂肪酸アミドアルキルジメチルアミンオキシドである。アミンオキシドは、使用濃度0.5〜10重量％、好ましくは1〜5重量％で使用することができる。
【００６６】
脂肪酸アミド
脂肪酸アミドは、下記式を有する：
【００６７】
【化４】
2008519117.tif 000005
式中、Rは、炭素原子およそ7〜およそ21、好ましくはおよそ9〜およそ17を有するアルキル基であり、及び R1は、各々の場合において、水素, C1-C4-アルキル, C1-C4-ヒドロキシアルキル又は(C2H4O)xH （ここで、x は、約1〜約3の範囲である）である。好ましいのは、C8-C20 脂肪酸アミド、特に対応するモノエタノールアミド、ジエタノールアミド及びイソプロパノールアミドである。これらは、濃度0.5〜5重量％、特に0.5〜3重量％で使用することができる。
【００６８】
更に適した非イオン系界面活性剤は、アルキル-及びアルケニルオリゴグリコキシドかつまた脂肪酸ポリグリコールエステル又は脂肪アミンポリグリコールエステルであって、各々が、脂肪アルキルラジカルにおいて炭素原子8〜20, 好ましくは12〜18を有するもの, アルコキシル化トリグリカミド, 混合エーテル又は混合ホルミル, アルキルオリゴグリコキシド, アルケニルオリゴグリコキシド, 脂肪酸 N-アルキルグリカミド, ホスフィンオキシド, ジアルキルスルホキシド及びタンパク質水解物である。
双性イオン系界面活性剤
両性又は双性イオン系界面活性剤の代表的な例は、カルボベタイン, スルホベタイン, アミノグリシナート又は両性イミダゾリニウム化合物である。
【００６９】
本発明の液体洗剤において使用するのに好適な双性イオン系界面活性剤は、カルボキシメチルアンモニオベタイン, 特に C8-〜C18-アルキルジメチルカルボキシメチルアンモニオベタイン, C8-〜C18-アルキルアミド-プロピルジメチルカルボキシメチルアンモニオベタイン及び C8-〜C18-アルキルジポリ-エトキシカルボキシ-メチルアンモニオベタインである。
【００７０】
更なるベタインは、例えば, 上に詳述した化合物に類似したN-カルボキシエチルアンモニオベタインであり、それらを合成するためには、クロロ酢酸及びその塩に代えて、クロロプロピオン酸及びその塩を使用する。それらの例は、アルカリ金属としてのC12-C18-アルキルアミノプロピオナート 及びC12-C18-アルキルイミノジプロピオナート並びにモノ-, ジ-及びトリアルキルアンモニウム塩である。好適なスルホベタインは、C12-C18-アルキルジメチルスルホプロピルベタインである。
【００７１】
イミダゾリンをベースにした両性界面活性剤は、商品名Miranol（登録商標）及び Steinapon（登録商標）で供給される。好ましいのは、1-(カルボキシメチルオキシエチル)-1-(カルボキシメチル)-2-ラウリルイミダゾリニウムのナトリウム塩である。
【００７２】
双性イオン系界面活性剤は、共界面活性剤（ｃｏｓｕｒｆａｃｔａｎｔ）として使用される。それらの使用濃度は、1〜10重量％であり、3〜5重量％であるのが好ましい。
【００７３】
本発明において存在してよい更なる洗剤成分は、水の硬度を減少させるために、無機及び/又は有機ビルダーを含む。
【００７４】
無機ビルダーは、 例えば,ポリホスファート, 例えば、トリポリホスファート, ピロホスファート及びガラス状ポリマー性メタホスファート, ホスホナート, シリケート,バイカーボネート及びセスキカーボネートを含むカーボネートのアルカリ金属, アンモニウム及びアルカノールアンモニウム塩, 並びに下記に記載する通りのアルミノシリケートを含む。
【００７５】
アルミノシリケートビルダー, 特に式  Naz[(AlO2)z(SiO2)y]×xH2O（式中、z及びyは、少なくとも6の整数であり、z対yの比は、1.0〜約 0.5であり、及びxは、約15〜約264の整数である）を有するゼオライト。
【００７６】
アルミノシリケートをベースにした適したイオン交換体は、市販されている。これらのアルミノシリケートは、結晶構造のものでも又は非晶質構造のものでもよく、かつ天然の素材のものでもさもなくば合成製造されたものでもよい。合成結晶アルミノシリケートをベースにした好適なイオン交換体は、名称Zeolite A, Zeolite P(B)及びZeolite Xで得ることができる。好ましいのは、0.1〜10 mmの間の粒径を有するアルミノシリケートである。
【００７７】
適した有機ビルダーは、ポリカルボキシル化合物, 例えば、エーテルポリカルボキシラート及びオキシジスクシナートを含む。同様に、US-4,663,071からの「TMS/TDS」ビルダーを参照すべきである。
【００７８】
その他の適したビルダーは、エーテルヒドロキシポリカルボキシラート,無水マレイン酸とエチレン又はビニルメチルエーテルとのコポリマー, 1,3,5-トリヒドロキシベンゼン-2,4,6-トリスルホン酸及びカルボキシメチルオキシ-コハク酸,ポリ酢酸, 例えば、エチレンジアミンテトラ酢酸及びニトリロトリ酢酸, かつまたポリカルボン酸、例えば、メリト酸, コハク酸,オキシジコハク酸, ポリマレイン酸, ベンゼン-1,3,5-トリカルボン酸, カルボキシメチルオキシコハク酸のアルカリ金属,アンモニウム及び置換されたアンモニウム塩,及びそれらの可溶性塩を含む。
【００７９】
好適な有機ビルダーは、アクリル酸及び/又はマレイン酸をベースにしたポリカルボキシラート, 例えば、Sokalan CP商標(BASF) 又はAcusol 商標(Rohm and Haas), かつまたシトレートをベースにしたビルダー, 例えば、クエン酸及びその可溶性塩, 特にナトリウム塩である。
【００８０】
更に適したビルダーは、3,3-ジカルボキシ-4-オキサ-1,6-ヘキサンジオエート及び関連する化合物である。リンをベースにしたビルダーは、アルカリ金属ホスファート, 例えばナトリウムトリポリホスファート, ナトリウムピロホスファート及びナトリウムオルトホスファートである。
【００８１】
本発明に好適なビルダーは、ホスホナート, 例えばエタン-1-ヒドロキシ-1,1-ジホスホナート (HEDP) 及びその他の既知のホスホナートである。
【００８２】
本発明の液体洗剤は、更に、クリーニング作用を増進させるか、洗濯する織物をケアするのに有用であるか又は洗剤の使用特性を変える通例の助剤を含んでよい。
【００８３】
適した助剤は、例えば、酵素, 特に プロテアーゼ, リパーゼ, セルラーゼ, アミラーゼ及びマンナーゼ; 酵素安定剤; 発泡増進剤; 泡止め剤、例えば、シリコーン油又はパラフィン; 腐食防止剤; 染料移動防止剤; 染料固定剤, 蛍光増白剤; UV 吸収剤; 漂白剤; 防腐剤; アルカリ; 屈水性化合物; 酸化防止剤; 溶媒及び可溶化剤, 例えば、エタノール, グリセロール, プロパンジオール; 分散剤, 再付着防止剤; 灰色化防止剤; 柔軟剤; 帯電防止剤; 染料及び香料である。
【００８４】
染料
染料なる用語は、本明細書中、水溶性染料及び不溶性有彩顔料の両方を包含する。けれども、液体洗剤に、水溶性染料を使用するのが好ましい。これらは、酸性染料, 直接染料及び反応性染料の群を含む。例えば,アゾ染料, 金属錯体染料及び多環式染料の代表的なものをこれらの群に与えることが可能である。
【００８５】
香油及び着臭剤
使用する香り及び香油は、個々の着臭剤化合物、例えば、エステル, エーテル, アルデヒド, ケトン, アルコール及び炭化水素タイプの合成生成物にすることができる。好ましいのは、異なる着臭剤の混合物を使用して、一緒に心地良い香りの雰囲気を発生するすることである。
【００８６】
香油は、また、天然の着臭剤混合物及び粘度の低い精油も含んでよい。
【００８７】
蛍光増白剤
これらは、特に、ジアミノスチルベン及びジスチリルビフェニルタイプの増白剤を含む。
【００８８】
染料移動防止剤
これらは、ポリアミンN-オキシド, 例えば、ポリ(4-ビニルピリジン N-オキシド), ポリ(4-ビニルピリジンベタイン), ポリビニルピロリドン及びN-ビニルピロリドンとN-ビニルイミダゾール及び場合により、その他のモノマーとのコポリマー, ポリビニルイミダゾール, かつまたシクロデキストリン及びシクロデキストリン誘導体を含む。
e)    染料 固定剤
本発明の液体洗剤中に組み込むことができる染料固定剤は、非イオン系又はカチオン系であり、下記に説明する:
染料固定剤として使用することができる重縮合物は、シアナミドとアルデヒド及びアンモニウム塩及び/又はモノアミンとを反応させることにより、モノアミン及び/又はポリアミンとエピクロロヒドリンとを反応させることにより又はポリアミンとシアナミド及びアミド硫酸とを反応させることによって得られる。
【００８９】
使用する染料固定剤は、また、ジアリルジメチルアンモニウムクロリド (DADMAC) をベースにしたホモポリマー及びコポリマーでもよい。DADMAC をベースにしたコポリマーは、更なる構成成分として、その他のビニル性モノマー, 例えば、ビニルイミダゾール, ビニルピロリドン, ビニルアルコール, ビニルアセテート, (メタ)アクリル酸/エステル, アクリルアミド , スチレン, スチレンスルホン酸, アクリルアミドメチルプロパンスルホン酸 (AMPS), 等を含有する。
【００９０】
DADMACをベースにしたホモポリマーは、商品名Dodigen（登録商標）3954, Dodigen 4033 及びGenamin（登録商標）PDAC (Clariantから)で得ることができる。
【００９１】
染料固定剤は、液体洗剤において、0.25〜5重量％程度で使用し, 0.5〜3重量％程度で使用するのが好ましく、0.5〜1重量％で使用するのが一層好ましい。
【００９２】
本発明の配合物は、それらが安定でありかつ凝集しない点で、注目すべきである。それらは、カチオン系界面活性剤が存在することにより、柔軟効果をもたらす。加えて、それらは、また、防しわ効果及び機械的磨耗からの保護も示す。 
【手続補正書】
【提出日】平成18年8月17日(2006.8.17)
【手続補正１】
【補正対象書類名】特許請求の範囲
【補正対象項目名】請求項１
【補正方法】変更
【補正の内容】
【請求項１】
下記：
ａ）  第二 アルカンスルホナート,
ｂ）  石鹸,
ｃ）  非イオン系界面活性剤    
及び
ｄ）  カチオン系界面活性剤
を含み、アニオン系界面活性剤:非イオン系界面活性剤の質量比が、1:4 〜4:1, 好ましくは1:2〜2:1,最も好ましくは0.8:1〜1.5:1である、液体洗剤及びクリーニング剤。
【国際調査報告】
2008519117.tif 000006
2008519117.tif 000007
2008519117.tif 000008
2008519117.tif 000009
2008519117.tif 000010
2008519117.tif 000011